(57)【要約】【課題】掃除機本体の外観デザインに左右されないインジケータを備えた電気掃除機を提供する。【解決手段】電動送風機４で発生した吸引風によって吸引された塵埃を捕集する集塵室１４を内蔵する掃除機本体１と、掃除機本体１内に形成され、電動送風機４と集塵室１４との間と外気を連通する吸気通路４１と、吸気通路４１を開閉すると共に、一定の塵埃を集塵室１４内に取り込むと、吸気通路４１を開くエアプロテクター１５と、エアプロテクター１５の動作に連動して動作するインジケータ１８とを備えたもので、電動送風機４の過昇防止装置となるエアプロテクター１５とインジケータ１８は従来のように一体である必要がなく、インジケータ１８の設置場所が外観のデザインに限定されないので、インジケータ部品を容易に他機種との共用化を図ることが出来る。【選択図】図２
2013135788.tif 000002
【特許請求の範囲】
【請求項１】
吸引風を発生させる電動送風機と、前記電動送風機で発生した吸引風によって吸引された塵埃を捕集する集塵室とを内蔵する掃除機本体と、前記掃除機本体内に形成され、前記電動送風機と前記集塵室との間と外気を連通する吸気通路と、前記吸気通路を開閉すると共に、一定の塵埃を集塵室内に取り込むと、前記吸気通路を開くエアプロテクターと、前記エアプロテクターの動作に連動して動作するインジケータとを備えた電気掃除機。
【請求項２】
インジケータは、表示部と、動作部と、軸支部とから構成されており、前記動作部を、吸気通路内のエアプロテクターよりも上流側に配置した請求項１に記載の電気掃除機。
【請求項３】
インジケータは、エアプロテクター非動作時には、自重にて非表示位置に戻るようにした請求項１または２に記載の電気掃除機。
【請求項４】
軸支部に、インジケータの動作を調整するための調整ばねを配置した請求項２又は３記載の電気掃除機。
【請求項５】
インジケータの色と周囲の部品の色を補色の関係とした請求項１〜４のいずれか１項に記載の電気掃除機。
【請求項６】
インジケータの色を、赤などの目立つ色とした請求項１〜５のいずれか１項に記載の電気掃除機。
【発明の詳細な説明】
【技術分野】
【０００１】
本発明は、電気掃除機に関するもので、特に、電気掃除機内の電動送風機を保護する過昇防止装置に関するものである。
【背景技術】
【０００２】
従来の電気掃除機においては、集塵量表示装置の視認性を向上させるべく、集塵室上方の開口部を覆う蓋体を水平面より傾斜させ、この傾斜させた面に、外気圧と集塵室との圧力差で動作し、紙袋の交換時期を使用者に知らせる集塵量表示装置を配置する構成が提案されている（例えば、特許文献１参照）。
【０００３】
従来の電気掃除機について、図６〜８を用いて説明する。図６は、上記特許文献１に記載された従来の電気掃除機の掃除機本体の斜視図、図７、８は、同電気掃除機の要部断面図である。
【０００４】
図６から図８において、従来の電気掃除機の掃除機本体１２１は、モーター１２２と、紙袋１２３が装着される集塵室１２４と、集塵室１２４の上方開口を覆う蓋１２５とから構成されている。
【０００５】
蓋１２５の前部には、水平面より下方に傾斜した傾斜面１２９が形成されており、この傾斜面１２９には、ホース（図示せず）が着脱自在に接続される吸気口１３０が設けられている。
【０００６】
また、蓋１２５の内部の吸気口１３０の近傍には、コイルスプリング１３５と、筒体１３６と、フタ１３７とを内蔵する透明パイプ１３３と、透明パイプ１３３と集塵室１２４とを連通するインジケーターエルボ１３４とが取り付けられており、この透明パイプ１３３とインジケーターエルボ１３４とでインジケーター（集塵量表示装置）が構成されている。
【０００７】
以上のように構成された従来の電気掃除機において、紙袋１２３にごみが溜まってくると、集塵室１２４内の圧力が低下し、外気圧との差圧によりコイルスプリング１３５と同時に筒体１３６が前方へ移動する。そして、筒体１３６が蓋１２５の傾斜面１２９に設けた窓１３８まで移動することで、使用者に紙袋１２３の交換時期を知らせるように構成されている。
【先行技術文献】
【特許文献】
【０００８】
【特許文献１】特開平１−２７７５２６号公報
【発明の概要】
【発明が解決しようとする課題】
【０００９】
しかしながら、前記従来の電気掃除機の構成においては、インジケータ部品は、掃除機本体の外観デザインに左右され、電気掃除機のデザイン外観に変更があれば機種毎に変更する必要があり、部品単価がコストアップとなる課題を有していた。
【００１０】
本発明は、上記従来の課題を解決するもので、電気掃除機の外観デザインに関わらず、インジケータ部品の機種間での共用を可能とした、安価な電気掃除機を提供することを目的とする。
【課題を解決するための手段】
【００１１】
上記従来の課題を解決するために、本発明の電気掃除機は、吸引風を発生させる電動送風機と、前記電動送風機で発生した吸引風によって吸引された塵埃を捕集する集塵室とを内蔵する掃除機本体と、前記掃除機本体内に形成され、前記電動送風機と前記集塵室との間と外気を連通する吸気通路と、前記吸気通路を開閉すると共に、一定の塵埃を集塵室内に取り込むと、前記吸気通路を開くエアプロテクターと、前記エアプロテクターの動作に連動して動作するインジケータとを備えたもので、電動送風機の過昇防止装置となるエアプロテクターとインジケータは従来のように一体である必要がなく、インジケータの設置場所が外観のデザインに限定されないので、インジケータ部品を容易に他機種との共用化を図ることが出来る。
【発明の効果】
【００１２】
本発明の電気掃除機は、電気掃除機の外観デザインに関わらず、インジケータ部品を機種間で共用することが可能となり、安価な電気掃除機を提供できる。
【図面の簡単な説明】
【００１３】
【図１】本発明の実施の形態１における電気掃除機の掃除機本体の斜視図
【図２】同掃除機本体の通常使用時の概略断面図
【図３】同掃除機本体のインジケータ動作時の概略断面図
【図４】同インジケータの斜視図
【図５】同インジケータの斜視図
【図６】従来の電気掃除機の掃除機本体の斜視図
【図７】同掃除機本体の要部断面図
【図８】同掃除機本体の要部断面図
【発明を実施するための形態】
【００１４】
第１の発明は、吸引風を発生させる電動送風機と、前記電動送風機で発生した吸引風によって吸引された塵埃を捕集する集塵室とを内蔵する掃除機本体と、前記掃除機本体内に形成され、前記電動送風機と前記集塵室との間と外気を連通する吸気通路と、前記吸気通路を開閉すると共に、一定の塵埃を集塵室内に取り込むと、前記吸気通路を開くエアプロテクターと、前記エアプロテクターの動作に連動して動作するインジケータとを備えたもので、電動送風機の過昇防止装置となるエアプロテクターとインジケータは従来のように一体である必要がなく、インジケータの設置場所が外観のデザインに限定されないので、インジケータ部品を容易に他機種との共用化を図ることが出来る。
【００１５】
第２の発明は、特に、第１の発明のインジケータは、表示部と、動作部と、軸支部とから構成されており、前記動作部を、吸気通路内のエアプロテクターよりも上流側に配置したもので、前記動作部が、エアプロテクター動作による吸引風を受け、軸支部を介して表示部を動作させることができるので、インジケータ部品以外に部品を配さずとも、インジケータ部品のみで満杯表示動作を完結することができ、電気掃除機のコストダウンを図ることができる。
【００１６】
第３の発明は、特に、第１又は第２の発明のインジケータは、エアプロテクター非動作時には、自重にて非表示位置に戻るようにしたもので、構成が簡素になり、機械的強度、耐久性の信頼性が高まり、容易に壊れる心配がない。
【００１７】
第４の発明は、特に、第２又は第３の発明の軸支部に、インジケータの動作を調整するための調整ばねを配置したもので、ばねによりインジケータの動作風量を微調整することが可能になり、インジケータ動作の動作風量が安定し、繰り返し動作に対しての信頼性の向上を図ることができる。
【００１８】
第５の発明は、特に、第１〜４のいずれか一つの発明のインジケータの色と周囲の部品の色を補色の関係としたもので、前記インジケータが動作した場合に周囲との部品の補色の関係にあるので利用者のインジケータの視認性が高まり、利用者が容易にごみの満杯表示を認識出来、利便性の向上を図ることができる。
【００１９】
第６の発明は、特に、第１〜５のいずれか一つの発明のインジケータの色を、赤などの目立つ色としたもので、表示機能が動作した場合に満杯表示機能部品が目立つので、容易に利用者に、ごみが満杯であることを表示することが出来、利便性の向上を図ることが出来る。
【００２０】
以下、本発明の実施の形態について、図面を参照しながら説明する。なお、この実施の形態によって本発明が限定されるものではない。
【００２１】
（実施の形態１）
図１は、本発明の実施の形態１における電気掃除機の掃除機本体の斜視図、図２は、同掃除機本体の通常使用時の概略断面図、図３は、同掃除機本体のインジケータ動作時の概略断面図、図４、図５は、同インジケータの斜視図である。
【００２２】
図１〜５において、本実施の形態における電気掃除機の掃除機本体１は、本体下ケース２と、本体上ケース３とを備え、後部に、電動送風機４を内蔵し、前部に、塵埃を捕集する集塵室１４を配している。
【００２３】
前記集塵室１４内に集塵袋３１を備え、前記集塵袋３１は、本体下ケース２に固定するための口芯部３０と、後方に配され塵埃を捕集する袋部材３１ａから構成されている。
【００２４】
前記集塵室１４の天面には、開閉自在である集塵部カバー５が配され、集塵部カバー５は、開閉操作用の取っ手部６を備えている。電動送風機４の上部にはハンドル７を、本体後部には、電気掃除機の電源コード９をそれぞれ備え、電源コード９の巻き取り用ボタン８をハンドル７に設け、また電動送風機４から排出される排気を排出するリヤカバー１３を配している。
【００２５】
また電動送風機４は、前記本体下ケース２と本体上ケース３に固定するために、前方にモーターサポートマエ３７、後方にモーターサポートウシロ３８で保持されている。さらに、前記モーターサポートマエ３７とモーターサポートウシロ３８は、本体下ケース２と本体上ケース３で保持されている。
【００２６】
掃除機本体１の前部には、ホース（図示せず）の一端に設けた接続パイプ（図示せず）が着脱自在に接続される吸入口１０が設けられている。また、前記電動送風機４と集塵室１４の間と外気とを連通する吸気通路４１が設けられ、前記電動送風機４の異状温度上昇を防ぐため、吸気通路４１の先には、通常時は吸気通路４１を閉じる役目を果たすエアプロテクター１５と、前記エアプロテクター１５を抑えるキャップ１７と、吸気通路４１を閉じる方向にエアプロテクター１５を付勢するエアプロテクターばね１６からなる過昇防止装置３２を備えている。
【００２７】
また前記過昇防止装置３２の上部には、表示部２１と、動作部１９と、軸支部２０からなるインジケータ１８が配されている。インジケータ１８は、集塵部カバー５に形成された穴部２２に、前記インジケータ１８の両側の軸支部２０が嵌合させて、保持されており、軸支部２０の周囲には、調整用ばね固定用の突起部２６を配している。
【００２８】
また前記集塵部カバー５の上部には、インジケータ１８の動作を確認することができる窓部２４を設けている。さらに掃除機本体１の側面に、掃除機本体１を床面上に置いた際に自由に移動できるように後輪１２を備えており、掃除機本体１の上部に構成されているハンドル７は、掃除機本体１を持ち運ぶ際に使用する取っ手となるもので、本体上ケース３に保持されている。
【００２９】
以上のように構成された本実施の形態における電気掃除機の作用は以下の通りである。
【００３０】
利用者が掃除機本体１の運転を始めると、電動送風機４の吸引風と塵埃は、吸入口１０を通過し集塵袋３１に到達する。集塵袋３１で、塵埃は捕集され空気のみが通過し、その空気のみが電動送風機４を経て掃除機本体１の外に排出される。
【００３１】
さらに利用者が掃除機本体１を使用し続けると、集塵袋３１にて捕集された塵埃３９が多くなり、集塵室１４内の負圧度が高まっていく。そして捕集された塵埃３９が一定量になると、集塵室１４と連通した過昇防止装置３２内の負圧により、エアプロテクター１５が、エアプロテクター１５を大気側へ付勢していたエアプロテクターばね１６の付勢力に抗して下方へ移動する。
【００３２】
そして、エアプロテクター１５の下方への移動に伴い吸気通路４１の開口した連通口１５ａを通して、集塵室１４に外気が導入される。従来の温度過昇防止装置であれば、以上の動作により電動送風機４を保護することが出来るが、利用者に、満杯表示をすることは出来なかった。
【００３３】
しかしながら、本実施の形態では、インジケータ１８を、連通口１５ａの上流に設けたことで、エアプロテクター１５が動作した際に、外部から集塵室１４内へ流入する吸引風が発生し、インジケータ１８の動作部１９が連通口１５ａへ引き寄せられることにより、インジケータ１８の軸支部２０を介して、窓部２４から、インジケータ１８の表示部２１を掃除機本体１の外部より確認することが出来る。
【００３４】
通常、窓部２４からは、本体上ケース３の一部が見えており、インジケータ１８が動作して、本体上ケース３と異なる色が表示されると、利用者が認識し集塵袋３１の満杯が利用者に理解される。
【００３５】
以上のように本実施の形態によれば、部品構成を複雑にすることなく、満杯表示機能を容易に付加することが出来る。また外観のデザインに依存する形状ではないため異なる機種間でも部品を共用することが出来、各部品のコストダウンを図ることが出来る。
【００３６】
さらにインジケータ１８と集塵部カバー５の色を補色の関係とすると、インジケータ１８の動作がより利用者にとって容易に見つけやすくなる。またインジケータ１８を赤などの色としても利用者の視認性が高まる。
【００３７】
インジケータ１８は、電気掃除機の運転を停止すると、連通口１５ａからの吸引風がなくなり、表示部２１が動作部１９よりも軸支部２０からの重量が大きくなるようにインジケータ１８の形状を設計すれば、自重にて元の位置へ戻る。
【００３８】
また図５に示すように、軸支部２０を廻動中心とし、表示部２１を上方に持ち上げるように調整ばね２５を設けた場合には、動作部１９には、常に上方への付勢された力が働くので、連通口１５ａからの風量により、インジケータ１８の動作ポイントをより安定させることができる。また表示時から非表示時への動作についても安定した繰り返し動作をさせることができる。
【産業上の利用可能性】
【００３９】
以上のように、本発明に係る電気掃除機は、電気掃除機の外観に関わらず、インジケータ部品を機種間で共用することが出来るので、利用者に利便性を維持しながら安価な電気掃除機を提供することが出来るもので、各種家庭用、業務用電気掃除機等に広く適用できる。
【符号の説明】
【００４０】
１    掃除機本体
２    本体下ケース
３    本体上ケース
４    電動送風機
５    集塵部カバー
６    取っ手部
７    ハンドル
８    巻き取り用ボタン
９    電源コード
１０  吸入口
１２  後輪
１３  リヤカバー
１４  集塵室
１５  エアプロテクター
１６  エアプロテクターばね
１７  キャップ
１８  インジケータ
１９  動作部
２０  軸支部
２１  表示部
２２  穴部
２４  窓部
２５  調整ばね
２６  突起部
３０  口芯部
３１  集塵袋
３７  モーターサポートマエ
３８  モーターサポートウシロ
３９  塵埃
４１  吸気通路
【図１】
2013135788.tif 000003
【図２】
2013135788.tif 000004
【図３】
2013135788.tif 000005
【図４】
2013135788.tif 000006
【図５】
2013135788.tif 000007
【図６】
2013135788.tif 000008
【図７】
2013135788.tif 000009
【図８】
2013135788.tif 000010